(57)【特許請求の範囲】
【請求項１】
アナログコンポーネント信号、およびアナログＲＧＢ信号の何れの画像信号の入力にも用いられる共用端子を備えている入力部と、
入力された前記画像信号の信号形式を判断する、信号形式判断部と、
予め登録された画像信号のタイミングに関するタイミング情報の中から、入力された画像信号に対応するものを特定して読出す、タイミング情報特定部と、
前記読出されたタイミング情報の内容を、ユーザの指示内容、または前記画像の表示状態に基づいて調整する調整部と、
前記読出されたタイミング情報に基づいて、該入力された画像信号に所定の信号処理を施す、信号処理部と、
前記信号処理の施された画像信号に基づいて画像を表示する表示部と、を備え、
前記信号形式判断部によって、前記画像信号がアナログＲＧＢ信号と判断された場合には、前記調整が可能である一方、アナログコンポーネント信号と判断された場合には、前記調整が不可であることを特徴とする画像表示装置。
【発明の詳細な説明】
【技術分野】
【０００１】
本発明は、画像を表示する画像表示装置に関し、特に、複数の信号形式の画像信号を扱うものに関する。
【背景技術】
【０００２】
近年、ＤＶＤやパソコンの普及等に伴って、複数の信号形式の画像信号を扱うことが可能な画像表示装置のニーズが高まっている。例えば、Ｙ、Ｐｂ、Ｐｒの各信号（コンポーネント信号）を有するコンポーネント形式の信号入力が可能でありながらも、アナログＲＧＢ信号や同期信号（Ｈ、Ｖ）の各信号を有するアナログＲＧＢ形式の信号入力も可能なものが要望されるようになってきた。なお通常、コンポーネント形式の信号入力については所謂ＲＣＡ端子、アナログＲＧＢ形式の信号入力についてはＤ−ＳＵＢ１５ピンの端子が用いられる。
【０００３】
また業務用映像表示装置等において接続される機器の種類によっては、これらの端子を、所謂ＢＮＣ端子にすることが要望される場合がある。その際、コンポーネント形式用の端子とアナログＲＧＢ形式用の端子を、別々に設けることもできる。しかし基板や端子板の省スペース化、および、端子や切替回路の省略によるコストダウンを図るため、コンポーネント形式の信号入力用のＹ、Ｐｂ、Ｐｒの端子と、アナログＲＧＢ形式の信号入力用のＧ、Ｂ、Ｒの端子が、共用化（兼用化）されることがある。なおこのように、異なる信号形式の入力端子が共用端子となっているものは、例えば特許文献１や特許文献２に開示されている。
【特許文献１】特開２００４−２１０５４号公報
【特許文献２】特開２００７−２４１２６１号公報
【発明の開示】
【発明が解決しようとする課題】
【０００４】
上述したような共用端子を備えている画像表示装置は、先述の通り、省スペース化などの点で有利ではあるが、入力される画像信号が何れの信号形式のものであるかが、適切に判別される必要がある。コンポーネント形式の画像信号とアナログＲＧＢ形式の画像信号とでは、画像表示装置において処理が施されるにあたり、処理内容に相違点があるからである。
【０００５】
この相違点の一つは、コンポーネント形式の画像信号とアナログＲＧＢ形式の画像信号とでは、ドットクロックやフロントポーチといったタイミングの規格に関する事情が異なることに起因している。より具体的には、コンポーネント形式の画像信号のタイミングは、基本的にＥＩＡ［Electronic Industries Alliance］の規格に準拠している一方、アナログＲＧＢ形式の画像信号のタイミングは、コンポーネント形式の場合と異なり、準拠する規格等が多岐にわたっている。そのためアナログＲＧＢ形式が採用された、あらゆる規格に関するタイミング情報を、予め画像表示装置に登録させておくことは難しい。なおタイミング情報は、例えば水平周波数、垂直周波数、ドットクロックおよびフロントポーチといった各種タイミング等を表す情報であって、画像信号を適切に処理するために参照されるものである。
【０００６】
またアナログＲＧＢ形式では、同一規格内における異種（解像度などが異なる）の画像信号同士で、Ｈ（水平周波数）やＶ（垂直周波数）が類似している場合がある。例えば表１に示すように、ＶＥＳＡ［Video Electronics Standards Association］規格における、解像度1024×768の画像信号、解像度1366×768の画像信号、解像度1360×768の画像信号、および解像度1280×768の画像信号は、互いに、ＨやＶが類似している。
【表１】
0005261032.tif 000002
【０００７】
このような事情から、アナログＲＧＢ形式の画像信号が画像表示装置に入力される場合には、例えば入力された画像信号のＨやＶに基づいて、予め登録されている各種タイミング情報の中から、その画像信号に対応するものを正確に特定することは困難といえる。そこで画像信号の適切な処理を実現させるためには、一旦特定されたタイミング情報の内容が、事後的に調整可能となっている必要がある。
【０００８】
一方、コンポーネント形式の画像信号が画像表示装置に入力される場合には、その画像信号に対応するタイミング情報を同様にして特定することは、該画像信号がＥＩＡ規格に準拠することが判っているために比較的容易である。そのため、上述したようなタイミング情報の調整は不要であり、むしろこのような調整が行われると、処理負担が無駄に増大するおそれがある。また何らかの事情で当該調整が適切になされなければ、却って画像信号の適切な処理が妨げられ、ひいては、最適な画像表示が阻害されるおそれもある。なおＥＩＡ規格においては、異種の画像信号同士で、ＨやＶが類似しているという事情はなく、この点からも、上述したタイミング情報の特定は比較的容易となっている。
【０００９】
このように、画像表示装置に入力される画像信号の信号形式によって、タイミング情報の調整の要否は異なっているといえる。本発明は、上述した問題点に鑑みて、共用端子を介してコンポーネント形式およびアナログＲＧＢ形式の画像信号が入力可能でありながらも、入力される画像信号の信号形式に応じて、タイミング情報の調整が適切に実行され得る画像表示装置の提供を目的とする。
【課題を解決するための手段】
【００１０】
上記目的を達成するため、本発明に係る画像表示装置は、アナログコンポーネント信号を含むコンポーネント形式、および、アナログＲＧＢ信号を含むアナログＲＧＢ形式の、何れの信号形式の画像信号も入力可能であって、該コンポーネント形式およびアナログＲＧＢ形式のうちの、何れの画像信号の入力にも用いられる共用端子を備えている入力部と、入力された前記画像信号の信号形式を判断する、信号形式判断部と、予め登録された各種画像信号のタイミングに関する情報（「タイミング情報」とする）の中から、入力された画像信号に対応するものを特定して読出す、タイミング情報特定部と、前記読出されたタイミング情報の内容を、所定情報に基づいて調整する調整部と、前記読出されたタイミング情報に基づいて、該入力された画像信号に所定の信号処理を施す、信号処理部と、前記信号処理の施された画像信号に基づいて画像を表示する表示部と、を備えた画像表示装置であって、前記信号形式判断部によって、前記画像信号の信号形式がアナログＲＧＢ形式と判断された場合には、前記調整が可能である一方、コンポーネント形式と判断された場合には、前記調整が不可である構成とする。
【００１１】
本構成によれば、共用端子を介してコンポーネント形式およびアナログＲＧＢ形式の画像信号が入力可能である。また画像信号の信号形式が判断されるために、画像信号に対して、その信号形式に応じた適切な処理を施すことが容易となる。特に、画像信号の信号形式がアナログＲＧＢ形式と判断された場合に限り、信号処理に用いられるタイミング情報の調整がなされる。そのため、入力される画像信号の信号形式に応じて、タイミング情報の調整が適切に実行され得る。
【００１２】
また上記構成としてより具体的には、前記タイミング情報は、画像信号についての、画像の解像度、水平周波数、垂直周波数、ドットクロック、水平総ドット、水平表示期間、水平フロントポーチ、水平バックポーチ、垂直総ライン、垂直表示期間、垂直フロントポーチ、および垂直バックポーチを含む、複数項目の情報からなる構成としてもよい。また前記調整は、前記タイミング情報における、ドットクロック、水平総ドット、水平表示期間、水平フロントポーチ、水平バックポーチ、垂直総ライン、垂直表示期間、垂直フロントポーチ、および垂直バックポーチのうちの、少なくとも一つの項目の情報について可能である構成としてもよい。
【００１３】
また上記構成において、前記入力部は、前記アナログＲＧＢ形式の画像信号の入力に用いられる一方、前記コンポーネント形式の画像信号の入力には用いられない、アナログＲＧＢ専用端子を備えており、前記信号形式判断部は、該アナログＲＧＢ専用端子に入力される信号の有無に基づいて、前記入力された画像信号の信号形式を判断する構成としてもよい。
【００１４】
また上記構成において、前記入力部は、前記アナログＲＧＢ形式の画像信号の入力に用いられる一方、前記コンポーネント形式の画像信号の入力には用いられない、アナログＲＧＢ専用端子を備えており、前記信号形式判断部は、該アナログＲＧＢ専用端子が外部装置に接続されているか否かに基づいて、前記入力された画像信号の信号形式を判断する構成としてもよい。
【００１５】
これらの構成によれば、入力された画像信号の信号形式を、極力正確に判断することが可能となる。また更に、当該信号形式を、自動的に判断させることが可能となる。
【００１６】
また上記構成において、前記信号形式判断部は、ユーザにより入力された情報に基づいて、前記入力された画像信号の信号形式を判断する構成としてもよい。本構成によれば、ユーザが適切な（正確な）情報を入力することにより、入力された画像信号の信号形式を適切に判断させることが可能となる。
【００１７】
また上記構成としてより具体的には、前記調整部は、ユーザの指示内容、または、前記画像の表示状態に基づいて、前記調整を行う構成としてもよい。
【発明の効果】
【００１８】
上述したように、本発明に係る画像表示装置によれば、共用端子を介してコンポーネント形式およびアナログＲＧＢ形式の何れかの画像信号が入力可能である。また画像信号の信号形式が判断されるために、画像信号に対して、その信号形式に応じた適切な処理を施すことが容易となる。特に、画像信号の信号形式がアナログＲＧＢ形式と判断された場合に限り、信号処理に用いられるタイミング情報の調整がなされる。そのため、入力される画像信号の信号形式に応じて、タイミング情報の調整が適切に実行され得る。
【発明を実施するための最良の形態】
【００１９】
本発明の実施形態について、実施例１から実施例３の各々を挙げて、以下に説明する。
【００２０】
［実施例１］
本発明の一実施形態（実施例１）について、入力された画像信号に基づいて画像を表示させる画像表示装置を挙げて、以下に説明する。
【００２１】
当該画像表示装置の構成図（ブロック図）を、図１に示す。本図に示すように、画像表示装置１は、入力端子１１、同期分離回路１２、Ａ／Ｄコンバータ１３、カラーマトリクス回路１４、同期回路１５、スケーリング部１６、画像表示部１７、制御部１８、操作部１９、および記憶部２０などを備えている。
【００２２】
入力端子１１は、外部装置（例えばチューナ装置やＰＣ本体）に接続されて、当該外部装置からの画像信号の入力に用いられる端子であり、少なくとも、第１端子１１ａ、第２端子１１ｂ、第３端子１１ｃ、第４端子１１ｄ、および第５端子１１ｅの５個の端子から成っている。
【００２３】
これにより画像表示装置１は、少なくともＹ、Ｐｂ、Ｐｒの３種の信号を有するアナログコンポーネント信号の信号形式（以下、「コンポーネント形式」と称する）の画像信号、および、少なくともアナログＲＧＢ信号（Ｒ、Ｇ、Ｂ）やアナログの水平および垂直同期信号（Ｈ、Ｖ）の５種の信号を有する信号形式（以下、「アナログＲＧＢ形式」と称する）の、何れの信号形式の画像信号も、択一的に入力可能となっている。
【００２４】
より具体的には、コンポーネント形式の画像信号が入力される場合には、第１から第３の各端子（１１ａ〜１１ｃ）が外部装置側の端子に接続され、第１端子１１ａには信号Ｐｒ、第２端子１１ｂには信号Ｙ、第３端子１１ｃには信号Ｐｂが、外部装置側から入力される。またアナログＲＧＢ形式の画像信号が入力される場合には、第１から第５の各端子（１１ａ〜１１ｅ）が外部装置側の端子に接続され、第１端子１１ａには信号Ｒ、第２端子１１ｂには信号Ｇ、第３端子１１ｃには信号Ｂ、第４端子１１ｄには信号Ｈ、第５端子１１ｅには信号Ｖが、外部装置側から入力される。
【００２５】
なお、コンポーネント形式の画像信号について、Ｙは輝度信号を、ＰｂおよびＰｒは色差信号を表している。またアナログＲＧＢ形式の画像信号において、Ｒ、Ｇ、Ｂは、各色の輝度信号を、Ｈは水平同期信号を、Ｖは垂直同期信号を表している。また第１から第３の各端子（１１ａ〜１１ｃ）は、コンポーネント形式の画像信号の入力と、アナログＲＧＢ形式の画像信号の入力に共用される端子（共用端子）であるといえる。一方で、第４端子および第５端子（１１ｄ、１１ｅ）は、アナログＲＧＢ形式の画像信号の入力には用いられるが、コンポーネント形式の画像信号の入力には用いられない端子（アナログＲＧＢ専用端子）であるといえる。
【００２６】
同期分離回路１２は、第２端子１１ｂから信号Ｙが入力されると、この信号Ｙから水平同期および垂直同期を表す信号ＳＯＹを抽出して、同期回路１５に出力する。また信号Ｙの少なくとも輝度に関する部分は、Ａ／Ｄコンバータ１３に伝送される。なお信号Ｇが入力された場合には、当該信号はそのままＡ／Ｄコンバータ１３に伝送される。
【００２７】
Ａ／Ｄコンバータ１３は、第１から第３の各端子（１１ａ〜１１ｃ）側から伝送されてきた信号（アナログ信号）を、デジタル信号に変換して、カラーマトリクス回路１４に伝送する。
【００２８】
カラーマトリクス回路１４は、Ｐｒ、Ｙ、およびＰｂの各信号が入力されたときに、これらの信号に基づいてＲ、Ｇ、Ｂの信号（輝度信号）に変換し、スケーリング部１６に伝送する。またＲ、Ｇ、Ｂの信号が入力されたときには、これらの信号をスケーリング部１６にそのまま伝送する。
【００２９】
同期回路１５は、同期分離回路１２から伝送されてきた信号ＳＯＹを、水平同期信号ＨＳおよび垂直同期信号ＶＳに変換し、スケーリング部１６に伝送する。なお、第４端子と第５端子（１１ｄ、１１ｅ）から信号Ｈおよび信号Ｖが伝送された場合には、それぞれ信号ＨＳおよび信号ＶＳとして、そのままスケーリング部１６に伝送する。
【００３０】
スケーリング部１６は、カラーマトリクス回路１４および同期回路１５から送られてきたＲ、Ｇ、Ｂ、ＨＳ、およびＶＳの各信号に所定の信号処理を施して、画像表示部１７に画像を表示させるための信号を生成する。なおスケーリング部１６で実行される信号処理の具体的な内容については、改めて説明する。
【００３１】
画像表示部１７は、ディスプレイが備えられており、スケーリング部１６から伝送されてきた信号に基づいて、画像を表示する。
【００３２】
制御部１８は、例えばマイクロコンピュータによって構成されており、画像表示装置１において行われる各種処理を適切に制御する。また操作部１９は、ユーザによって操作可能なユーザインターフェースであり、例えばリモコンや操作用ボタンスイッチとして構成されている。操作部１９により得られた操作情報は、制御部１８に伝送される。これにより画像表示装置１は、ユーザの意図を反映させた処理を行うことが可能である。
【００３３】
なお操作部１９によれば、画像表示装置１に入力される画像信号の信号形式を、コンポーネント形式とアナログＲＧＢ形式の何れとするかが、ユーザによって予め設定可能となっている。操作部１９を通じて画像信号の信号形式が適切に設定されることにより、画像表示装置１は、入力される画像信号の信号形式を適切に判別することが可能となっている（後述する、ステップＳ１の処理を参照）。
【００３４】
更に操作部１９によれば、ユーザは、タイミング情報の自動調整の実行指示や、タイミング情報の手動調整の実行指示を行うことが可能となっている（後述する、ステップＳ２３およびＳ２５の処理を参照）。なおタイミング情報の自動調整や手動調整については、改めて説明する。
【００３５】
記憶部２０は、例えば書換え可能な不揮発性のメモリにより構成されており、画像表示装置１での処理に関わる種々の情報を記憶する。記憶部２０における記憶内容は、スケーリング部１６や制御部１８によって、適宜読書き可能となっている。
【００３６】
また記憶部２０には、画像信号に関するタイミング等の情報（タイミング情報）を複数種含むタイミング情報テーブルが、予め記憶されている。つまり、画像表示装置１においては、各種画像信号のタイミング情報が登録されている。
【００３７】
このタイミング情報は、図２の表で示される通り、画像の解像度、水平周波数（水平同期周波数）、垂直周波数（垂直同期周波数）、ドットクロック（画像信号のクロックを表す情報）、水平総ドット、水平表示期間、水平フロントポーチ、水平バックポーチ、水平同期期間、垂直総ライン、垂直表示期間、垂直フロントポーチ、垂直バックポーチ、および垂直同期期間にわたる、複数項目の情報からなっている。またタイミング情報に、フェーズ（画像信号における、例えば同期信号を基準とした位相のずれ量）の項目を含ませても良い。
【００３８】
また登録されているタイミング情報の種類としては、ＥＩＡの規格によるもの（データ名が「４８０Ｐ」や「７２０Ｐ／６０」のもの等）と、例えばＶＥＳＡのように、ＥＩＡ以外の規格によるもの（データ名が「Ｖ１」や「Ｖ２」のもの等）がある。このタイミング情報は、後述する通り、入力された画像信号に対する信号処理に用いられる。
【００３９】
上述した構成により、画像表示装置１は、コンポーネント形式またはアナログＲＧＢ形式の画像信号を受け取り、この画像信号に基づいた画像表示を実行する。次に画像表示装置１において実行される画像信号に関わる処理の内容について、図３のフローチャートを参照しながら、より詳細に説明する。
【００４０】
入力端子１１に画像信号が入力されると、この画像信号の信号形式が、コンポーネント形式であるかアナログＲＧＢ形式であるかが判別される（ステップＳ１）。なおこの判別は、先述した通り、ユーザによって予め実行されている設定の内容に従ってなされる。
【００４１】
そしてコンポーネント形式であると判別された場合は（ステップＳ１の「コンポーネント形式」）、スケーリング部１６は、同期回路１５から伝送されてきた同期信号（ＨＳ、ＶＳ）に応じたタイミング情報を判別（特定）し、そのタイミング情報を読出す。つまり、水平周波数および垂直周波数の値が、同期信号（ＨＳ、ＶＳ）が示す水平周波数および垂直周波数に一致する（或いは最も近い）タイミング情報が、タイミング情報テーブルの中から選出される。
【００４２】
なおコンポーネント形式の画像信号のタイミングは、ＥＩＡ規格に準拠することが判っているため、ここでは、ＥＩＡ規格のタイミング情報のみを判別の対象とする。ここまでの処理により、入力された画像信号（入力信号）に対応する、ＥＩＡ規格のタイミング情報が読み出されることになる（ステップＳ１１）。
【００４３】
その後、スケーリング部１６は、読み出されたタイミング情報を用いて、画像信号（カラーマトリクス回路１４から伝送されてきたＲ、Ｇ、Ｂの各輝度信号、ならびに、ＨＳおよびＶＳの各同期信号）に対して、所定の信号処理を施す（ステップＳ１２）。なお当該信号処理には、画像データの取り込み、スケーリング処理、および画質補正（ガンマ補正やコントラスト補正など）等が含まれる。また当該信号処理においては、画像信号の各タイミングは、読み出されたタイミング情報に従ったものとして扱われる。当該信号処理が施された画像信号は、画像表示部１７に伝送され、その画像がディスプレイに表示される。
【００４４】
ステップＳ１２の処理は、画像信号の処理が停止されるべき時まで、継続的に実行される（ステップＳ１３）。なおユーザによって画像表示の停止が指示された時、画像信号の入力が途絶えた時、電源がＯＦＦにされた時などには、ステップＳ１２の処理は停止される（ステップＳ１３のＹ）。
【００４５】
一方、先述したステップＳ１の処理において、入力された画像信号の形式がアナログＲＧＢ形式であると判別された場合にも（ステップＳ１の「アナログＲＧＢ形式」）、スケーリング部１６は、同期回路１５から伝送されてきた同期信号（ＨＳ、ＶＳ）に応じたタイミング情報を判別（特定）し、そのタイミング情報を読出す。つまり、水平周波数および垂直周波数の値が、同期信号（ＨＳ、ＶＳ）が示す水平周波数および垂直周波数に一致する（或いは最も近い）タイミング情報が、タイミング情報テーブルの中から選出される。
【００４６】
ただし、アナログＲＧＢ形式の画像信号が準拠する規格等は多岐に及ぶ等の理由により、当該画像信号のタイミングが、何れの規格によるものかを正確に特定することは困難であり、また、どのタイミング情報に対応しているかを正確に特定することは困難となっている。そこで、アナログＲＧＢ形式のタイミングとして代表的なＶＥＳＡ規格のタイミング情報を、一応の判別対象とする。ここまでの処理により、入力された画像信号に対応する（当該画像信号のタイミングに最も近いと推測される）、ＶＥＳＡ規格のタイミング情報が読み出されることになる（ステップＳ２１）。なお判別対象とするタイミング情報は、ＶＥＳＡ規格以外のものとしても構わない。
【００４７】
その後、スケーリング部１６は、読み出されたタイミング情報を用いて、画像信号（カラーマトリクス回路１４から伝送されてきたＲ、Ｇ、およびＢの各輝度信号、ならびに、ＨＳおよびＶＳの各同期信号）に対して、所定の信号処理を施す（ステップＳ２２）。なお当該信号処理には、画像データの取り込み、スケーリング処理、および画質補正（ガンマ補正やコントラスト補正など）等が含まれる。また当該信号処理においては、画像信号の各タイミングは、読み出されたタイミング情報に従ったものとして扱われる。信号処理が施された画像信号は画像表示部１７に伝送され、その画像がディスプレイに表示される。
【００４８】
ところで、先述したステップＳ１２やＳ２２の処理において、読み出されたタイミング情報が処理すべき画像信号に対応したものであれば、画像は、画像表示部１７において、所定の位置（ディスプレイの中央を基準とした所定領域）に、適切に表示されることになる。しかし対応したものでなければ、画像データの適切な取り込み等が阻害され、ひいては、画像が所定の位置からずれて表示されたり、画像にノイズが混入したりするといった不具合が生じうる。
【００４９】
この点、ステップＳ２２の処理においては、画像信号に対応するタイミング情報として一応ＶＥＳＡ規格のものが読み出されてはいるが、このタイミング情報は、実際には画像信号に正確に対応していない可能性がある。
【００５０】
そこで画像表示装置１では、このような問題を解消すべく、ステップＳ２２の処理に付随して、読み出されたタイミング情報の調整処理が次の通り実行される。ユーザによってタイミング情報の自動調整の実行が指示された場合には（ステップＳ２３のＹ）、画像の表示状態に応じて、タイミング情報の自動調整が実行される（ステップＳ２４）。この自動調整によれば、画像表示部１７に表示される画像が所定の条件（例えば、画像がディスプレイにおける所定位置に正しく表示されているか、画像のちらつきの多さが所定の閾値を越えていないか、等の条件）を満たすように、読み出されたタイミング情報が自動的に調整される。
【００５１】
このような自動調整の手法については、既に知られている種々の手法を採用することができる。例えば、いわゆるクロック調整、位相調整、水平位置調整、および垂直位置調整が、自動的に実行される手法を採用することが可能である。なお位相調整は、サンプリングを行うタイミングの位相のずれを調整するものであり、１ドット以下のオーダーにおける調整である。
【００５２】
またユーザによってタイミング情報の手動調整の実行が指示された場合には（ステップＳ２５のＹ）、ユーザの設定（指示）内容に基づいたタイミング情報の調整（手動調整）が実行される（ステップＳ２６）。この手動調整によれば、ユーザが操作部２０を通じて、ディスプレイ（画像の表示状態）を見ながら、読み出されたタイミング情報における各値を増減させることが可能となっている。これにより、ユーザが望む画像の表示状態が実現されるように、読み出されたタイミング情報が調整され得る。なお当該手動調整によれば、自動調整（ステップＳ２４）がなされた後も、ユーザが望むような画質が得られない場合に、更に微調整を行うことが可能となっている。
【００５３】
また当該手動調整に関して、ユーザの要求に応じて、例えば図６に示すような表示が現れるようにしても良い。この場合、ユーザは当該画面に従って操作部１９を操作し、クロック調整、位相調整、水平位置調整、および垂直位置調整を、簡易に実行させることができる。なお通常、クロック調整もしくは位相調整は、画面の縦縞やちらつきを抑えるときに、水平もしくは垂直位置調整は、画像の表示位置を左右もしくは上下に移動させるときに、それぞれ実行される。
【００５４】
上述したタイミング情報の自動調整や手動調整によれば、読出されたタイミング情報における、ドットクロック、水平総ドット、水平表示期間、水平フロントポーチ、水平バックポーチ、垂直総ライン、垂直表示期間、垂直フロントポーチ、および垂直バックポーチ、のうちの少なくとも一つの情報が調整可能となっている。例えば、水平位置調整がなされる場合には、これが実現されるように、水平フロントポーチや水平バックポーチ等が調整されることとなる。
【００５５】
なお水平フロントポーチや水平バックポーチの調整は、水平同期信号と輝度信号の間の、相対的なタイミングを調整することといえる。また調整等が施された後の画像信号の状態を、図７に概略的に示す。このように、水平フロントポーチは、輝度を表す期間の終わりから水平同期期間の始まりまでの期間に、水平バックポーチは、水平同期期間の終わりから輝度を表す期間の始まりまでの期間に、それぞれ相当する。なお画像表示装置１では、読出されたタイミング情報のうち、解像度、水平周波数、および垂直周波数の情報については、調整不可となっている。
【００５６】
ステップＳ２２からＳ２６までの各処理は、画像信号の処理が停止されるべき時まで、継続的に実行される（ステップＳ２７）。なおユーザによって画像表示の停止が指示された時、画像信号の入力が途絶えた時、電源がＯＦＦにされた時などには、これらの処理は停止される（ステップＳ２７のＹ）。なお、例えば画像表示装置１の起動後や画像信号が入力された時に、ユーザの指示の有無に関わらず、タイミング情報の自動調整（ステップＳ２４に相当する処理）が実行されるようにしても良い。またこのような場合には、ユーザの指示に応じたタイミング情報の自動調整（ステップＳ２３、２４）が、省略されるようにしても良い。
【００５７】
なお、入力される画像信号がコンポーネント形式であると判別された場合には（ステップＳ１の「コンポーネント形式」）、先述したようなタイミング情報の調整は、基本的に不要であるといえる。そのためこの場合は、画像表示装置１は、タイミング情報の調整の実行指示を受け付けないようになっており、ひいては、当該調整は実行不可（無効）となっている。
【００５８】
これにより、タイミング情報の調整に関わる処理を省略して、処理負担を極力軽減させることが可能となっている。また何らかの事情で調整が適切に実行されないために、却って画像信号の適切な処理が妨げられ、ひいては、最適な画像表示が阻害されるといった事態を防止することが可能となっている。
【００５９】
なお従来、入力される画像信号が何れの信号形式のものであるかを判断する方法としては、その画像信号の水平周波数や垂直周波数に基づいて判断する方法があるが、信号形式（コンポーネント形式かアナログＲＧＢ形式か）が異なっている信号同士でも、水平周波数や垂直周波数が非常に似通っている場合がある。例えば、ＣＶＴ規格の１２８０×７２０（６０Ｈｚ）の信号と、ＥＩＡ規格の７２０ｐ（６０Ｈｚ）の信号は、水平周波数や垂直周波数において殆ど同じである。またＶＥＳＡ規格のＶＧＡ６４０×４８０（６０Ｈｚ）と、ＥＩＡ規格の４８０ｐの信号も同様である。
【００６０】
このような理由から、水平周波数や垂直周波数に基づく信号形式の判断方法では、判断が正確になされないおそれがある。そのため、信号形式の判断方法としては、より正確な判断が可能となる方法が望まれていた。
【００６１】
この点、本実施例に係る画像表示装置１は、ユーザにより入力された情報に基づいて、入力された画像信号の信号形式を判断するようになっている。そのため、ユーザが適切な（正確な）情報を入力することにより、入力された画像信号の信号形式を適切に判断させることが可能となっている。
【００６２】
［実施例２］
次に本発明の別の実施形態（実施例２）について、同じく画像表示装置を挙げて、以下に説明する。また本実施例は、画像信号に係る信号形式の判別に関わる部分を除いては、基本的には実施例１と同様の内容であるため、重複した説明は省略する。なおこれから説明するように、本実施例は、入力信号の信号形式の判別が、端子接続検出部２１の検出結果に基づいて実行される点で、実施例１とは異なっている。
【００６３】
本実施例に係る画像表示装置の構成図（ブロック図）を、図４に示す。本図に示すように、画像表示装置１は、端子接続検出部２１を備えている。この端子接続検出部２１は、入力端子１１の接続状態、つまり各端子（１１ａ〜１１ｅ）のうちの何れが、外部装置の端子に接続されているかを検出する。そしてこの検出結果を、制御部１８に伝送する。
【００６４】
ここで当該接続状態の検出は、例えば次のようにして実現される。まず各端子（１１ａ〜１１ｅ）は、所定の径寸法である凸状に形成されており、この凸状部分の側面には、外側からの外力によって押下される小型スイッチが設けられている。そして、この凸部よりやや径寸法の小さい凹状に形成された外部装置の端子が、各端子（１１ａ〜１１ｅ）に嵌め込まれることによって、両端子は接続されるようになっている。そのため、両端子が接続されている状態では、小型スイッチは押下され、逆に接続されていない状態では、押下されないようになっている。
【００６５】
そこで端子接続検出部２１は、各端子（１１ａ〜１１ｅ）の小型スイッチが押下されているか否かを検出することによって、入力端子１１の接続状態を検出する。つまり、端子の接続状態を、力学的な手法によって検出するようになっている。ただし端子接続検出部２１による接続状態の検出手法は、このようなものに限られず、他の手法が用いられても構わない。
【００６６】
そして実施例１において説明したステップＳ１に相当する処理（入力信号の信号形式が、コンポーネント形式であるかアナログＲＧＢ形式であるかを判別する処理）は、実施例２では、ユーザによって予め実行されている設定に基づく代わりに、端子接続検出部２１の検出結果に基づいて実行される。
【００６７】
すなわち、共用端子（１１ａ、１１ｂ、１１ｃ）が、外部装置の端子に接続されており、アナログＲＧＢ専用端子（１１ｄ、１１ｅ）が接続されていない場合には、外部装置から入力される画像信号は、コンポーネント形式のものであると見込まれる。そのためステップＳ１に相当する処理では、入力信号の信号形式は、コンポーネント形式であると判別されることになる。
【００６８】
また一方で、第１から第５までの端子全て（１１ａ〜１１ｅ）が、外部装置の端子に接続されている場合には、外部装置から入力される画像信号は、アナログＲＧＢ形式のものであると見込まれる。そのためステップＳ１に相当する処理では、入力信号の信号形式は、アナログＲＧＢ形式であると判別されることになる。
【００６９】
なお端子接続検出部２１が接続状態を検出する端子の種類については、他の態様のものとしても良い。例えば、アナログＲＧＢ専用端子（１１ｄ、１１ｅ）のみの接続状態が検出されるようにしても良い。この場合、接続が検出されない場合にはコンポーネント形式の信号が、接続が検出された場合にはアナログＲＧＢ形式の信号が、それぞれ入力されていると判別されれば良い。
【００７０】
本実施例に係る画像表示装置１は、アナログＲＧＢ専用端子（１１ｄ、１１ｅ）に入力される信号の有無に基づいて、入力された画像信号の信号形式を判断するものとなっている。そのため、入力された画像信号の信号形式を、自動的かつ適切に判断させることが可能となっている。
【００７１】
［実施例３］
次に本発明の更に別の実施形態（実施例３）について、同じく画像表示装置を挙げて、以下に説明する。また本実施例は、画像信号に係る信号形式の判別に関わる部分を除いては、基本的には実施例１と同様の内容であるため、重複した説明は省略する。なおこれから説明するように、本実施例は、入力信号の信号形式の判別が、信号検出部２２の検出結果に基づいて実行される点で、実施例１とは異なっている。
【００７２】
本実施例に係る画像表示装置の構成図（ブロック図）を、図５に示す。本図に示すように、画像表示装置１は、信号検出部２２を備えている。この信号検出部２２は、第４と第５の端子（１１ｄ、１１ｅ）、つまりアナログＲＧＢ専用端子の後段側に設けられており、これらの端子に信号が入力されているか否かを検出する。そしてこの検出結果を、制御部１８に伝送する。なお入力された信号については、そのまま後段側（同期回路１５）にスルーさせる。
【００７３】
そして実施例１において説明したステップＳ１に相当する処理（入力信号の信号形式が、コンポーネント形式であるかアナログＲＧＢ形式であるかを判別する処理）は、実施例３では、ユーザによって予め実行されている設定に基づく代わりに、信号検出部２２の検出結果に基づいて実行される。
【００７４】
すなわち、信号検出部２２によって信号の入力が検出されない場合には、外部装置から入力されている画像信号は、コンポーネント形式のものであると見込まれる。そのためステップＳ１に相当する処理では、入力信号の信号形式は、コンポーネント形式であると判別されることになる。
【００７５】
また一方で、信号検出部２２によって信号の入力が検出されている場合には、外部装置から入力されている画像信号は、アナログＲＧＢ形式のものであると見込まれる。そのためステップＳ１に相当する処理では、入力信号の信号形式は、アナログＲＧＢ形式であると判別されることになる。
【００７６】
なお信号検出部２２を、第４端子１１ｄおよび第５端子１１ｅの一方のみの端子について、信号が入力されているか否かを検出するものとしても良い。この場合も、信号の入力が検出されない場合にはコンポーネント形式が、信号の入力が検出されている場合にはアナログＲＧＢ形式の信号が、それぞれ入力されていると判別されれば良い。
【００７７】
また信号検出部２２を、同期信号以外の入力を検出しないようにしても良い。このようにすれば、何らかの原因によって端子（１１ｄ、１１ｅ）にノイズ信号が入力されても、入力信号の信号形式が誤って判別される事態を回避することができる。
【００７８】
本実施例に係る画像表示装置１は、アナログＲＧＢ専用端子（１１ｄ、１１ｅ）が外部装置に接続されているか否かに基づいて、入力された画像信号の信号形式を判断するものとなっている。そのためこれらの画像表示装置１によれば、入力された画像信号の信号形式を、自動的かつ適切に判断させることが可能となっている。
【００７９】
［まとめ］
以上に説明した通り、本発明の実施形態に係る画像表示装置１は、アナログコンポーネント信号を含むコンポーネント形式、および、アナログＲＧＢ信号と同期信号を含むアナログＲＧＢ形式のうちの、何れかの信号形式の画像信号が入力される入力端子１１を備えている。また、入力された画像信号の信号形式を判断する機能、予め登録された各種画像信号のタイミングに関する情報（タイミング情報）の中から、入力された画像信号に対応するものを特定して読出す機能、読出されたタイミング情報の内容を、所定情報（ユーザの指示、または、画像の表示状態）に基づいて調整する機能、読出されたタイミング情報に基づいて、画像信号に所定の信号処理を施す機能、および信号処理の施された画像信号に基づいて画像を表示する機能、を備えている。
【００８０】
また入力端子１１の一部である第１から第３の端子（１１ａ〜１１ｃ）は、コンポーネント形式およびアナログＲＧＢ形式のうちの、何れの画像信号の入力にも用いられる共用端子となっている。また画像表示装置１は、入力される画像信号の信号形式がアナログＲＧＢ形式と判断された場合には、前記調整が可能である一方、コンポーネント形式と判断された場合には、前記調整が不可となっている。
【００８１】
そのため画像表示装置１は、共用端子（１１ａ〜１１ｃ）を介してコンポーネント形式およびアナログＲＧＢ形式の何れかの画像信号が入力可能となっており、共用端子を備えないものに比べて、製品の小型化（省スペース化）やコストダウンの面において有利となっている。また画像信号の信号形式が判断されるために、画像信号に対して、その信号形式に応じた適切な処理を施すことが容易となっている。
【００８２】
特に、画像信号の信号形式がアナログＲＧＢ形式と判断された場合に限り、信号処理に用いられるタイミングの内容の調整が可能となっている。そのため、画像表示装置１は、入力される画像信号の信号形式に応じて、タイミング情報の調整が適切に実行され得るものとなっている。
【００８３】
以上、本発明の実施形態について説明したが、本発明はこの内容に限定されるものではい。本発明は、その趣旨を逸脱しない限り、種々の態様にて実施可能である。
【産業上の利用可能性】
【００８４】
本発明は、入力された画像信号に基づいて画像を表示させる、画像表示装置等の分野において利用可能である。
【図面の簡単な説明】
【００８５】
【図１】本発明の実施例１に関する画像表示装置の構成図である。
【図２】タイミング情報テーブルに関する説明図である。
【図３】画像信号の処理に関する流れ図である。
【図４】本発明の実施例２に関する画像表示装置の構成図である。
【図５】本発明の実施例３に関する画像表示装置の構成図である。
【図６】タイミング情報の調整処理（手動調整）に関する説明図である。
【図７】画像信号の状態に関する説明図である。
【符号の説明】
【００８６】
１    画像表示装置
１１    入力端子（入力部）
１１ａ  第１端子（共用端子）
１１ｂ  第２端子（共用端子）
１１ｃ  第３端子（共用端子）
１１ｄ  第４端子（アナログＲＧＢ専用端子）
１１ｅ  第５端子（アナログＲＧＢ専用端子）
１２    同期分離回路
１３    Ａ／Ｄコンバータ
１４    カラーマトリクス回路
１５    同期回路
１６    スケーリング部
１７    画像表示部
１８    制御部
１９    操作部
２０    記憶部
２１    端子接続検出部
２２    信号検出部
【図１】
0005261032.tif 000003
【図２】
0005261032.tif 000004
【図３】
0005261032.tif 000005
【図４】
0005261032.tif 000006
【図５】
0005261032.tif 000007
【図６】
0005261032.tif 000008
【図７】
0005261032.tif 000009